(57)【要約】【課題】紙葉類を短手方向に搬送する紙葉類判別装置に搭載された少なくとも２種類の異なる発光波長をもつＬＥＤ光源によって、安価で高性能な券種判別、真偽判別、又は正損判別を行う紙葉類判別装置を提供する。【解決手段】紙葉類１１０を搬送する搬送手段１２１〜１３４と、この搬送手段で搬送される紙葉類１１０を光学的に検知する光学的検知手段である透過画像検知手段１４０と、反射画像検知手段１５０及び１６０とで構成する。そして、反射画像検知手段１５０又は１６０の光源として少なくとも異なる発光波長を有する２種類のＬＥＤ光源で構成し、このＬＥＤ光源の一方を構成する可視光光源と他方を構成する赤外光光源を時分割で点灯し、紙葉類１１０を判別する。【選択図】  図１
2004185174.tif 000002
【特許請求の範囲】
【請求項１】
紙葉類を搬送する搬送手段と、
この搬送手段によって搬送される前記紙葉類を光学的に検知する光学的検知手段と、
この光学的検知手段の検知結果を判別する判別手段とを具備し、
前記判別手段の判別結果に基づき前記紙葉類の券種判別、真偽判別、又は正損判別を行うことを特徴とする紙葉類判別装置。
【請求項２】
前記光学的検知手段は、
前記紙葉類の透過画像を検知する透過画像検知手段と、
前記紙葉類の反射画像を検知する反射画像検知手段とで構成され、
前記透過画像検知手段または前記反射画像検知手段の光源として、少なくとも異なる発光波長をもつ２種類の光源を用いたことを特徴とする請求項１記載の紙葉類判別装置。
【請求項３】
前記光源は、
可視光光源と、
赤外光光源とで構成され、
前記可視光光源と前記赤外光光源を時分割で点灯するようにしたことを特徴とする請求項２記載の紙葉類判別装置。
【請求項４】
前記可視光光源は、
この可視光光源を構成する複数種類の光源を同時に点灯することを特徴とする請求項３記載の紙葉類判別装置。
【請求項５】
前記光源は、
前記券種判別を行う前記可視光光源と、
前記真偽判別を行う前記赤外光光源とを備え、
前記可視光光源と前記赤外光光源の配列を所定の基準に基づいて直線上に配置したことを特徴とする請求項２又は請求項３記載の紙葉類判別装置。
【請求項６】
前記光源は、赤色光光源を有する前記可視光光源と、
前記赤外光光源とで構成し、
前記可視光光源と前記赤外光光源とを、交互に直線上に配列したことを特徴とする請求項５記載の紙葉類判別装置。
【請求項７】
前記光源は、赤色光光源と、緑色光光源とを有する前記可視光光源と、
前記赤外光光源とで構成し、
前記赤色光光源、前記赤外光光源、前記緑色光光源、及び前記赤外光光源を一塊りにして、直線上に繰り返して配列したことを特徴とする請求項５記載の紙葉類判別装置。
【請求項８】
前記光源は、青色光光源と、緑色光光源とを有する前記可視光光源と、
前記赤外光光源とで構成し、
前記青色光光源、前記赤外光光源、前記緑色光光源、及び前記赤外光光源を一塊りにして、直線上に繰り返して配列したことを特徴とする請求項５記載の紙葉類判別装置。
【請求項９】
前記光源は、赤色光光源と、青色光光源とを有する前記可視光光源と、
前記赤外光光源とで構成し、
前記赤色光光源、前記赤外光光源、前記青色光光源、及び前記赤外光光源を一塊りにして、直線上に繰り返して配列したことを特徴とする請求項５記載の紙葉類判別装置。
【請求項１０】
前記光源は、赤色光光源と、緑色光光源と、青色光源とを有する前記可視光光源と、
前記赤外光光源とで構成し、
前記赤色光光源、前記緑色光源、前記青色光光源、及び前記赤外光光源を一塊りにして、直線上に繰り返して配列したことを特徴とする請求項５記載の紙葉類判別装置。
【発明の詳細な説明】
【０００１】
【発明の属する技術分野】
本発明は、例えば、紙幣を処理する紙幣処理装置において少なくとも２種類の異なる発光波長を有する光源により紙幣を判別する紙葉類判別装置に関する。
【０００２】
【従来の技術】
従来、紙葉類判別装置において、紙葉類（被検出媒体）の特徴量を検出するために複数の検知手段が設けられ、それぞれの検知手段の検知結果から被検出媒体の券種、方向、真偽、正損などの判定を行っている。通常、被検出媒体の券種の判別は最も特徴のある可視画像の認識により行われる。これは、もともと人間が見分けやすいことを前提に紙葉類のデザイン、色、文字、数字などが描かれているためであり、イメージセンサや色センサによるスポット検知が用いられている。また、判別すべき被検出媒体に同系色の色が用いられている場合は、色センサによる検知では困難な場合があり、その場合はイメージセンサによる券種判別が行われる。
【０００３】
また、紙葉類判別装置には被検出媒体を短手方向で搬送する装置と、長手方向で搬送する装置との２種類あるが、被検出媒体を短手方向で搬送する装置においては、被検出媒体の検知領域が長いため、紙葉類全面の検知が必要な場合、光源を長尺にする必要がありコスト高になる。そして、被検出媒体の特徴ある部分の検知に特化して、センサ及び光源を配置する方法の場合、コスト的には安価であるが、被検出媒体の種類、搬送方向（表裏、正逆）が限定されてしまうため、被検出媒体の仕様が変わる度に、光源、センサ、及びセンサレイアウトを変更する必要があり、開発の効率が著しく低下すると言う欠点がある。
【０００４】
さらに、従来の券種判別において、光源に可視発光の蛍光灯、冷陰極、ハロゲン、キセノンなどが用いられることが多かったが、ＬＥＤの高輝度化により、高精度な紙葉類判別装置においてもＬＥＤが搭載され始めている。ただし、単色であるＬＥＤを光源に用いた場合、光源と同色のパターンは検出できない不具合がある。これは、ドロップアウトと呼ばれる現象で、描画情報の一部が失われるため、券種判別の妨げになるケースが多い。
【０００５】
ドロップアウトを防止するには、光源に白色ＬＥＤを用いることが、提案されている（例えば特許文献１参照。）。しかしながら、この白色ＬＥＤは、高価で、短手搬送の装置ではＬＥＤの使用数量が多いためコスト高になる。そこで、白色ＬＥＤの代わりに、▲１▼赤、緑、青の３原色ＬＥＤにより光を合成し白色を作りカラーセンサで受光する方法、▲２▼３原色ＬＥＤを時分割で点灯しモノクロセンサで受光する方法、など考えられる。▲１▼の場合ＬＥＤの数が多く、またカラーセンサが必要なためコスト高になる。▲２▼の場合３原色を切り替えるため、解像度を白色ＬＥＤを使用した場合と同じにするには３倍の処理速度が必要になるという欠点がある。
【０００６】
【特許文献１】
特開平１１−１６３４１２号公報（第１頁）
【０００７】
【発明が解決しようとする課題】
本発明は、上記問題点を解決するためになされたもので、紙葉類を短手方向に搬送する紙葉類判別装置に搭載された、少なくとも２種類の異なる発光波長をもつＬＥＤ光源によって、安価で高性能な券種判別、真偽判別、又は正損判別を行う紙葉類判別装置を提供することを目的とする。
【０００８】
【課題を解決するための手段】
上記目的を達成するために、本発明の紙葉類判別装置は、紙葉類を搬送する搬送手段と、この搬送手段によって搬送される前記紙葉類を光学的に検知する光学的検知手段と、この光学的検知手段の検知結果を判別する判別手段とを具備し、前記判別手段の判別結果に基づき前記紙葉類の券種判別、真偽判別、又は正損判別を行うことを特徴とする。
【０００９】
また、本発明の光学的検知手段は、前記紙葉類の透過画像を検知する透過画像検知手段と、前記紙葉類の反射画像を検知する反射画像検知手段とで構成され、前記透過画像検知手段または前記反射画像検知手段の光源として、少なくとも異なる発光波長をもつ２種類の光源を用いたことを特徴とする。
【００１０】
【発明の実施の形態】
以下に、図面を参照して本発明による紙葉類判別装置の実施の形態を説明する。
【００１１】
図１は、紙葉類判別装置の判別ユニット１００の構成を示す図である。被検出媒体１１０は、例えば銀行券などの多種多様の紙葉類であって、搬送ローラ１２１〜１２６によって挟持され、図示矢印Ａ方向に搬送される。
【００１２】
判別ユニット１００は、被検出媒体１１０を搬送するための搬送ローラ１２７〜１３４と、被検出媒体１１０を判別する各種の判別手段とで構成される。
【００１３】
すなわち、判別手段は、光学的検知手段である透過画像検知手段１４０、上面反射画像検知手段１５０、及び下面反射画像検知手段１６０と、磁気検知手段１７０と、蛍光検知手段１８０と、厚さ検知手段１９０とで構成され、これらの検知手段が搬送方向上流から下流に向かって配置される。各検知手段１４０、１５０、１６０、１７０、１８０、１９０の出力信号は、検知情報処理部２００に出力される。この検知情報処理部２００によって被検出媒体１１０の券種判別、真偽判別、又は正損判別が行われる。
【００１４】
透過画像検知手段１４０は、搬送される被検出媒体１１０に光を照射し、その透過光から得られる透過画像を検知する。そして、上面反射画像検知手段１５０及び下面反射画像検知手段１６０は、それぞれ被検出媒体１１０の上面及び下面に光を照射し、反射光から得られる上面及び下面の反射画像を検知する。
【００１５】
また、磁気検知手段１７０は、被検出媒体１１０の印刷インクに含まれる磁性体を検知する。蛍光検知手段１８０は、被検出媒体１１０に含まれる蛍光体を検知する。さらに、厚さ検知手段１９０は、被検出媒体１１０の厚さを検知する。
【００１６】
次に、上記判別手段を構成する各検知手段の構成を説明する。
【００１７】
まず最初に、３つの光学的検知手段について説明する。透過画像検知手段１４０、上面反射画像検知手段１５０、及び下面反射画像検知手段１６０は、発光部及び受光部を備えている。例えば、ＬＥＤを所定の基準に基づいて配列したＬＥＤアレイからなるＬＥＤ光源３０１（図３参照）を発光部とし、フォトダイオードアレイ又はＣＣＤ（Ｃｈａｒｇｅ  Ｃｏｕｐｌｅｄ  Ｄｅｖｉｃｅ）を受光部とした１次画像読み取りセンサを構成しており、ＬＥＤには用途により可視光や近赤外光が使用される。
【００１８】
次に、磁気検知手段１７０の構成を説明する。磁気検知手段１７０は、例えば磁気ヘッドのようなセンサで構成され、磁気ヘッドコアの１次巻線に直流電流を印加し、被検出媒体１１０の磁性体が磁気ヘッドの間隙上を通過するときの磁束密度の変化を２次巻線で検出する。この磁気検知手段１７０は被検出媒体１１０の真偽検知として用いられる。
【００１９】
次に、蛍光検知手段１８０の構成を説明する。蛍光検知手段１８０は、紫外線発光ランプから放射された紫外線を被検出媒体１１０に照射し、被検出媒体１１０の蛍光体を励起する。そして、被検出媒体１１０の励起された蛍光体から放射された可視光をホトダイオードを用いてスポット的に検出する。この方法は、被検出媒体１１０の文字やポートレートなどの一部に蛍光体が用いられている場合に使用される。ただし、紙葉類を白くするための蛍光体（ブリーチ）は紙葉類全面に使用される場合が多く、ブリーチを使用しない紙葉類にブリーチ以外の蛍光体を使用することが多い。
【００２０】
次に、厚さ検知手段１９０の構成を説明する。厚さ検知手段１９０は、被検出媒体１１０を２本のローラ１３４、１９１で挟持し、片側のローラ１９１又はそれを支持するシャフトの変動量を図示していない変位センサ等で電気信号に変換して厚さを測定するものである。
【００２１】
次に、検知情報処理部２００について説明する。図２は、検知情報処理部２００の機能ブロック図である。各検知手段１４０、１５０、１６０、１７０、１８０、１９０からの出力信号は、それぞれ演算増幅器２０１〜２０６で増幅され、マルチプレクサ２０７に接続される。マルチプレクサ２０７は、判別工程に従って演算増幅器２０１〜２０６の出力信号（アナログ信号）の１つを選択する。例えば、マルチプレクサ２０７によって選択された演算増幅器２０１からのアナログ信号は、Ａ／Ｄ変換器２１０でＡ／Ｄ変換され、前処理部２２０に送られる。前処理部２２０は、それぞれの検知内容に従った空間微分や、平均化などの画像処理を行い、その処理結果をデータ記憶部２３０に記憶する。
【００２２】
次に、マルチプレクサ２０７は、演算増幅器２０２からのアナログ信号を選択し、同様の画像処理を行い、その処理結果をデータ記憶部２３０に記憶する。以上の処理を、ここでは６種類の検知手段全てについて行う。
【００２３】
検知ＣＰＵ２４０は、マイクロコンピュータに代表される演算処理部で、上記データ記憶部２３０から画像処理された各種の検知データを順次読み出し、被検出媒体１１０の券種判別、真偽判別、又は正損判別を行う。
【００２４】
また、制御ＣＰＵ２５０は、マイクロコンピュータに代表される演算処理部で、判別ユニット１００の全体制御を行うと共に、上記検知ＣＰＵ２４０の判別結果を上位の装置、例えば図示していない紙葉類判別装置の機構制御部に通知する。この機構制御部は、判別ユニット１００からの券種判別、真偽判別、又は正損判別の結果を基に、図示していない搬送切替部の切り替えを行い、被検出媒体１１０が格納されるべき収納庫へ搬送されるように制御する。
【００２５】
次に、上記紙葉類判別装置において、上面反射画像検知手段１５０または下面反射画像検知手段１６０にＬＥＤ光源を使用した具体例を示す。図３は、上面反射画像検知手段１５０の側断面図である。被検出媒体１１０は、搬送ローラ１２９〜１３２に挟持され図示矢印Ａ方向に搬送される。図３は、搬送された被検出媒体１１０が上面反射画像検知手段１５０の下に位置した状態を示している。次に、図３の動作を説明する。
【００２６】
ＬＥＤ光源３０１から放射された光は、光学ガラス３０２を透過して被検出媒体１１０の表面を照射し、その反射光は光学ガラス３０２を透過して光学レンズ３０３に入射する。光学レンズ３０３は、例えば像を１：１の倍率で結像するロッドアレイあるいは、像を縮小して結象する球面レンズなどである。光学レンズ３０３を通った反射光は光電センサ３０４で受光され、電気信号に変換された後、センサ信号処理基板３０５で増幅される。この増幅された上面反射画像信号は、検知情報処理部２００に接続され、前述したように処理され、券種判別、真偽判別、又は正損判別が行われる。
【００２７】
（第１の実施の形態）
図４は、本発明の実施の形態に係る紙葉類判別装置のＬＥＤ光源３０１を構成するＬＥＤの配列を示す図である。図４（Ａ）は、第１の実施の形態であり赤色ＬＥＤ（以下、Ｒと称する）と、赤外ＬＥＤ（以下、ＩＲと称する）を交互に配置した配置図である。Ｒは、可視光でＬＥＤの光出力が大きいため、被検出媒体１１０の模様やポートレート（肖像）などを検出するのに適しており、券種判別を行う場合の照明に用いられる。一方、ＩＲは、被検出媒体１１０を印刷している印刷インクの分光反射特性が可視領域とは異なる特性を示すため、例えば可視領域では吸収され目視できるポートレートが、ＩＲの発光波長領域では反射されポートレートが消失するような特性を示す場合があり、被検出媒体１１０の真偽判別を行う場合の照明に用いられる。すなわち、見た目（目視）には同様の印刷模様をしている偽券を排除するための照明に使用される。
【００２８】
また、本発明のＬＥＤ光源３０１のＲを透過画像検知手段１４０に使用して、正損判別の照明として用いることもできる。すなわち、透過画像検知手段１４０の出力信号は、被検出媒体１１０が新しい場合は出力が大きく、被検出媒体１１０が古くなり、汚れてくると透過光量が吸収され出力が小さくなる特性を有する。この特性を用いて、透過光量による区分を段階的に設定することにより被検出媒体１１０の正損判別を行うことができる。
【００２９】
次に、ＲとＩＲの時分割方式について説明する。被検出媒体１１０が図３に示すように図示矢印Ａに示すように搬送されているため、１回の搬送で、上記券種判別と真偽判別のための画像を得るために、ＲとＩＲの点灯を時分割に点灯して、これによって得られる画像を用いる必要がる。
【００３０】
例えば、上面反射画像検知手段１５０又は下面反射画像検知手段１６０で券種判別に使用する画像は、ＩＲを消灯し、Ｒを点灯して得られる反射画像を用いる。また、反射画像検知手段１５０又は１６０で真偽判別に使用する画像は、Ｒを消灯し、ＩＲを点灯して得られる反射画像を用いる。このような点灯構造にするために、ＲとＩＲは、それぞれ独立に点灯／消灯が行える回路構成である必要がある。
【００３１】
このようにして、Ｒ、ＩＲの２種類の異なる発光波長をもつ光源を用いた反射画像検知手段１５０又は１６０、あるいは透過画像検知手段１４０における画像読み取りによって、券種判別、真偽判別、又は正損判別を行うことができる。
【００３２】
（第２の実施の形態）
上述の第１の実施例では、可視光がＲのみであるため、被検出媒体１１０の画像がＲと同色の部分は消失してしまい（ドロップアウト）、券種判別の妨げになる場合がある。次に、このドロップアウトを防止する第２の実施形態を説明する。
【００３３】
図４（Ｂ）は、本発明の第２の実施の形態に係る紙葉類判別装置のＬＥＤ光源３０１を構成するＬＥＤの配列を示し、赤色ＬＥＤ（Ｒ）と、緑色ＬＥＤ（以下、Ｇと称す）とで、ＩＲを挟みこみ直線上に配列している。
【００３４】
この場合は、赤色及び緑色のドロップアウトを防止することができる。すなわち、ＲとＧの同時点灯による照明の場合は、赤色の印刷はＧの照明で検出でき、緑色の印刷はＲの照明で検出できる。
【００３５】
このような構成にすることによってＲとＧからなる可視光を、第１の実施例の可視光であるＲに置き換えて照明することにより、反射画像検知手段１５０、１６０、あるいは透過画像検知手段１４０における画像読み取りによって、券種判別、真偽判別、又は正損判別を行うことができる。
【００３６】
（第３の実施の形態）
図４（Ｃ）は、本発明の第３の実施の形態に係る紙葉類判別装置のＬＥＤ光源３０１を構成するＬＥＤの配列を示し、青色ＬＥＤ（以下、Ｂと称する）と、緑色ＬＥＤ（Ｇ）とで、ＩＲを挟みこみ直線上に配列している。ドロップアウトの防止に関して第２の実施例で説明したが、この場合は青色及び緑色のドロップアウトを防止することができる。
【００３７】
このような構成にすることによってＢとＧからなる可視光を、第１の実施例の可視光であるＲに置き換えて照明することにより、反射画像検知手段１５０、１６０、あるいは透過画像検知手段１４０における画像読み取りによって、券種判別、真偽判別、又は正損判別を行うことができる。
【００３８】
（第４の実施の形態）
図４（Ｄ）は、本発明の第４の実施の形態に係る紙葉類判別装置のＬＥＤ光源３０１を構成するＬＥＤの配列を示し、ＲとＢとで、ＩＲを挟みこみ直線上に配列している。ドロップアウトの防止に関して第２の実施例で説明したが、この場合は赤色及び青色のドロップアウトを防止することができる。
【００３９】
このような構成にすることによってＲとＢからなる可視光を、第１の実施例の可視光であるＲに置き換えて照明することにより、反射画像検知手段１５０、１６０、あるいは透過画像検知手段１４０における画像読み取りによって、券種判別、真偽判別、又は正損判別を行うことができる。
【００４０】
（第５の実施の形態）
図４（Ｅ）は、本発明の第５の実施の形態に係る紙葉類判別装置のＬＥＤ光源３０１を構成するＬＥＤの配列を示し、Ｒ、Ｇ、Ｂを１グループとして、ＩＲを挟みこみ直線上に配列している。ドロップアウトの防止に関して第２の実施例で説明したが、この場合は光の３原色であるＲ、Ｇ、Ｂとを用いているため、全ての色のドロップアウトを防止することができる。
【００４１】
このような構成にすることによってＲ、Ｇ、Ｂからなる可視光を、第１の実施例の可視光であるＲに置き換えて照明することにより、反射画像検知手段１５０、１６０、あるいは透過画像検知手段１４０における画像読み取りによって、券種判別、真偽判別、又は正損判別を行うことができる。
【００４２】
（第６の実施形態）
図５は、本発明の第６の実施の形態に係る紙葉類判別装置のＬＥＤ光源３０１の点灯回路を示す図である。図６は、ＬＥＤ光源３０１の点灯動作タイミングを示す図である。以下に、図５及び図６を用いて点灯回路を説明する。
【００４３】
上述したように、Ｒ、Ｇ、Ｂなど発光波長の異なる複数色のＬＥＤの混合で点灯する場合、Ｒ、Ｇ、Ｂ毎に点灯に必要な最適の電流値が異なるため、点灯回路を各色毎に独立して構成する必要がある。
【００４４】
そこで、図５は、ＬＥＤ光源３０１を構成するＲ、Ｇ、Ｂ、及びＩＲの点灯回路の実施形態を示す。この点灯回路は、発光タイミング発生回路ＩＣ１と、電流増幅用ドライバ回路ＩＣ２〜ＩＣ３と、制御トランジスタＱＩＲ、ＱＲ、ＱＧ、及びＱＢと、Ｒ、Ｇ、Ｂ、ＩＲの各ＬＥＤとで構成される。
【００４５】
発光タイミング発生回路ＩＣ１は、Ｒ、Ｇ、Ｂ、ＩＲの各ＬＥＤの点灯時間を時分割するための発振回路であり、出力信号Ｑ０及び出力信号Ｑ１を図６（Ａ）、（Ｂ）に示すタイミングで、それぞれ電流増幅用ドライバ回路ＩＣ２、ＩＣ３に出力する。
【００４６】
最初にＩＲの点灯回路の説明をする。発光タイミング発生回路ＩＣ１からの出力信号Ｑ０は、電流増幅用ドライバ回路ＩＣ２を経てＩＲ点灯信号（図６（Ｃ））となり、抵抗ｒｂを介してＩＲの点灯（ＯＮ）、消灯（ＯＦＦ）を制御するトランジスタＱＩＲの制御端子（ベース）に出力される。抵抗ｒｅはトランジスタＱＩＲのＯＮ／ＯＦＦ動作を安定させるためのエミッタ抵抗である。赤外ＬＥＤは、直流電圧ＶｄｄとＱＩＲの出力端子（コレクタ）との間に３個のＩＲ（例えばＩＲ１〜ＩＲ３）及び電流を設定するための抵抗ＩＲｒ１が直列に接続されたものが１グループを形成して、複数グループｍ個が並列に接続される。
【００４７】
このグループ数ｍは、被検出媒体１１０の大きさに応じた照明範囲によって決まる。すなわち、この照明範囲により赤外ＬＥＤの使用数が求められ、これにより必要なグループ数ｍが設定される。
【００４８】
次に、Ｒ、Ｇ、Ｂの各点灯回路の構成は、発光タイミング発生回路ＩＣ１からの出力信号Ｑ１が電流増幅用ドライバ回路ＩＣ３及び抵抗ｒｂを介して各トランジスタＱＲ、ＱＧ、ＱＢを駆動する以外は赤外ＬＥＤと同じ構成なのでその説明は省略する。
【００４９】
ここでは、各ＬＥＤは３個を直列接続した構成としたが、ＬＥＤの直列接続する数を増やしてもよい。その場合、ＬＥＤの順方向電圧降下が直列接続した数だけ累積加算されることから直流電源Ｖｄｄも上げる必要があり、紙葉類判別装置に使用する電源構成の中で最適に設定される。
【００５０】
このような構成において、発光タイミング発生回路ＩＣ１の出力信号Ｑ０が’１’のとき、ＩＲ点灯信号が’１’となり（図６（Ｃ）のＴ１）、これによりＱＩＲがＯＮとなりＩＲ１〜ＩＲｎが点灯する。その点灯周期をτ（秒）とすると、ＩＲ１〜ＩＲｎの点灯時間及び消灯時間はともにτ／２（秒）で、点灯、消灯を繰り返す。
【００５１】
一方、発光タイミング発生回路ＩＣ１の出力信号Ｑ１が’１’のとき、Ｒ、Ｇ、Ｂ点灯信号が’１’となり（図６（Ｃ）Ｔ２）、これによりＱＲ、ＱＧ、ＱＢがＯＮとなり、Ｒ１〜Ｒｎ、Ｇ１〜Ｇｎ、Ｂ１〜Ｂｎがそれぞれ同時に点灯する。その点灯周期をτ（秒）とすると、Ｒ１〜Ｒｎ、Ｇ１〜Ｇｎ、Ｂ１〜Ｂｎの点灯時間及び消灯時間はともにτ／２（秒）で、点灯、消灯を繰り返す。すなわち、ＩＲが点灯しているときは、Ｒ、Ｇ、Ｂは消灯しており、Ｒ、Ｇ、Ｂが点灯しているときは、ＩＲが消灯している。
【００５２】
また、このように構成されたＩＲ１〜ＩＲｎが図４（Ａ）〜図４（Ｅ）に示すように順番に直線上に配列した場合は、初めと終わりに相当する両サイドの光量が中央に比べ低下するため、例えば電流設定抵抗ＩＲｒ１の近傍とＩＲｒｍの近傍の抵抗値を下げ光量が均一になるように設定することが可能である。
【００５３】
同様に、Ｒ１〜Ｒｎ、Ｇ１〜Ｇｎ、Ｂ１〜Ｂｎが図４（Ａ）〜図４（Ｅ）に示すように順番に直線上に配列した場合は、初めと終わりに相当する両サイドの光量が中央に比べ低下するため、例えば電流設定抵抗Ｒｒ１、Ｇｒ１、Ｂｒ１の近傍とＲｒｍ、Ｇｒｍ、Ｂｒｍの近傍の抵抗値を下げ光量が均一になるように設定することが可能である。
【００５４】
以上説明したように、上記実施の形態によれば、紙葉類を短手方向に搬送する紙葉類判別装置に搭載された少なくとも２種類の異なる発光波長をもつＬＥＤ光源によって、安価で高性能な券種判別、真偽判別、又は正損判別を行うことができる。
【００５５】
【発明の効果】
本発明によれば、紙葉類を短手方向に搬送する紙葉類判別装置の照明にＬＥＤ光源を使用し、安価で高性能な紙葉類判別装置を提供することができる。
【図面の簡単な説明】
【図１】本発明の紙葉類判別装置の実施形態の構成を示す図。
【図２】図１の検知情報処理部の詳細な機能ブロック図。
【図３】図１の上面反射画像検知手段の詳細な側断面図。
【図４】本発明によるＬＥＤ光源を構成するＬＥＤの配列を示す図。
【図５】本発明によるＬＥＤ光源の点灯回路を示す図。
【図６】図５のＬＥＤ光源の点灯動作タイミング図。
【符号の説明】
１００  判別ユニット
１１０  被検出媒体
１２０  搬送路
１２１〜１３４  搬送ローラ
１４０  透過画像検知手段
１５０  上面反射画像検知手段
１６０  下面反射画像検知手段
１７０  磁気検知手段
１８０  蛍光検知手段
１９０  厚さ検知手段
２００  検知情報処理部
２０１〜２０６  演算増幅器
２０７  マルチプレクサ
２１０  Ａ／Ｄ変換器
２２０  前処理部
２３０  データ記憶部
２４０  検知ＣＰＵ
２５０  制御ＣＰＵ
３０１  ＬＥＤ光源
３０２  光学ガラス
３０３  光学レンズ
３０４  光電センサ
３０５  センサ信号処理基板
ＩＲ１〜ＩＲｎ  赤外ＬＥＤ
Ｒ１〜Ｒｎ  赤色ＬＥＤ
Ｇ１〜Ｇｎ  緑色ＬＥＤ
Ｂ１〜Ｂｎ  青色ＬＥＤ
ＱＩＲ、ＱＲ、ＱＧ、ＱＢ  トランジスタ
ＩＲｒ１〜ＩＲｒｍ、Ｒｒ１〜Ｒｒｍ、Ｇｒ１〜Ｇｒｍ、Ｂｒ１〜Ｂｒｍ  抵抗
ＩＣ１  発光タイミング発生回路
ＩＣ２、ＩＣ３  電流増幅用ドライバ回路
【図１】
2004185174.tif 000003
【図２】
2004185174.tif 000004
【図３】
2004185174.tif 000005
【図４】
2004185174.tif 000006
【図５】
2004185174.tif 000007
【図６】
2004185174.tif 000008